(57)【特許請求の範囲】
【請求項１】
扉に着脱可能に固定され、受け座を引き込むアームを有する引込み装置及び前記受け座のいずれか一方の取付け用の印を前記扉につけるための垂直部と、
前記垂直部に対して直角に曲がっていて、前記引込み装置及び前記受け座の他方の取付け用の印を上枠の下面につけるための水平部と、を備え、
前記水平部は、
前記扉が閉じ位置にあるときに、前記上枠の下面に左右方向の線を罫書くための第一の手段と、
前記第一の手段に対して傾斜する線と、
前記扉が所定角度だけ開いて前記左右方向の線が前記傾斜する線に重なったときに、前記上枠の下面に前後方向の線を罫書くための第二の手段と、を備え、
前記左右方向の線と前記前後方向の線との交点が、前記他方の前記取付け用の印である引込み装置取付け用テンプレート。
【請求項２】
前記垂直部は、
前記扉の吊元側の小口から左右方向に所定距離だけ離れた位置に上下方向の線を罫書くための第三の手段と、
前記上下方向の線に前記引込み装置取付け用テンプレートを合わせた状態において、前記扉に前記一方の前記取付け用の印をつけるための第四の手段と、を備えることを特徴とする請求項１に記載の引込み装置取付け用テンプレート。
【請求項３】
前記水平部における前記第一の手段と前記第二の手段とは、前記他方の前記取付け用の印を前記上枠の下面につけるための孔であることを特徴とする請求項１又は２に記載の引込み装置取付け用テンプレート。
【請求項４】
前記垂直部における前記第三の手段と前記第四の手段とは、前記一方の前記取付け用の印を前記扉につけるための孔であることを特徴とする請求項２に記載の引込み装置取付け用テンプレート。
【請求項５】
前記引込み装置取付け用テンプレートは、Ｌ字状に折り曲げ可能な板状の型紙から構成されることを特徴とする請求項１ないし４のいずれか１項に記載の引込み装置取付け用テンプレート。
【請求項６】
前記引込み装置取付け用テンプレートには、前記扉に前記一方の前記取付け用の印をつけ、前記上枠の下面に前記他方の前記取付け用の印をつけるための手順が表されることを特徴とする請求項１ないし５のいずれか１項に記載の引込み装置取付け用テンプレート。
【請求項７】
請求項１ないし６のいずれか１項に記載の前記引込み装置取付け用テンプレートと、
前記引込み装置と、
前記受け座と、を備える扉用装置。
【請求項８】
請求項１ないし６のいずれか１項に記載の前記引込み装置取付け用テンプレートを用いて、前記扉に前記一方の前記取付け用の印をつけ、前記上枠の下面に前記他方の前記取付け用の印をつける工程と、
前記扉に前記一方を取り付ける工程と、
前記上枠の下面に前記他方を取り付ける工程と、を備える扉用装置の製造方法。
【発明の詳細な説明】
【技術分野】
【０００１】
本発明は、引込み装置及び受け座のいずれか一方を扉に取り付け、引込み装置及び受け座の他方を上枠の下面に取り付ける際に使用される引込み装置取付け用テンプレートに関する。
【背景技術】
【０００２】
受け座を引き込むアームを有する引込み装置が知られている（特許文献１参照）。上枠の下面には受け座が取り付けられ、扉には引込み装置が取り付けられる。利用者が開き位置にある扉を所定角度まで閉めると、引き出された状態のアームが受け座に係合する。すると、アームが引込み方向に回転し、受け座を引き込む。これにより、自動的に扉が閉まる。
【０００３】
引込み装置を正常に作動させるためには、引込み装置及び受け座を正確に位置決めする必要がある。引き出された状態のアームが受け座に係合しないと、扉を引き込むことができないからである。
【０００４】
出願人は、上記特許文献１において、引込み装置及び受け座を正確に位置決めするために、引込み装置及び受け座を扉及び上枠の下面に取り付けた後、引込み装置にアームに相当する位置調整治具を着脱可能に取り付け、位置調整治具が受け座に係合するように（ひいては引き出された状態のアームが受け座に係合するように）、扉を開け閉めしながら受け座の位置を微調整する取付け方法を提案している。
【０００５】
特許文献１に記載の取付け方法において、扉を開け閉めしながら受け座の位置を微調整するのは、扉の厚さやヒンジの種類によって、アームの軌跡が変わるからである。アームの軌跡が変わることを考慮して、受け座の位置を微調整することで、引込み装置に対して受け座を正確に位置決めすることができる。
【先行技術文献】
【特許文献】
【０００６】
【特許文献１】特許第５６６２５０９号
【発明の概要】
【発明が解決しようとする課題】
【０００７】
しかしながら、特許文献１に記載の取付け方法にあっては、引込み装置及び受け座を扉及び上枠の下面に取り付けた後、受け座の位置を微調整する必要があるので、引込み装置及び受け座の取付けに手間がかかるという課題がある。
【０００８】
そこで、本発明は、引込み装置及び受け座の取付けを容易にすることができる引込み装置取付け用テンプレート、この引込み装置取付け用テンプレートを使用する扉用装置、及び扉用装置の製造方法を提供することを目的とする。
【課題を解決するための手段】
【０００９】
上記課題を解決するために、本発明の一態様は、扉に着脱可能に固定され、受け座を引き込むアームを有する引込み装置及び前記受け座のいずれか一方の取付け用の印を前記扉につけるための垂直部と、前記垂直部に対して直角に曲がっていて、前記引込み装置及び前記受け座の他方の取付け用の印を上枠の下面につけるための水平部と、を備え、前記水平部は、前記扉が閉じ位置にあるときに、前記上枠の下面に左右方向の線を罫書くための第一の手段と、前記第一の手段に対して傾斜する線と、前記扉が所定角度だけ開いて前記左右方向の線が前記傾斜する線に重なったときに、前記上枠の下面に前後方向の線を罫書くための第二の手段と、を備え、前記左右方向の線と前記前後方向の線との交点が、前記他方の前記取付け用の印である引込み装置取付け用テンプレートである。
【００１０】
本発明の他の態様は、前記引込み装置取付け用テンプレートと、前記引込み装置と、前記受け座と、を備える扉用装置である。
【００１１】
本発明のさらに他の態様は、前記引込み装置取付け用テンプレートを用いて、前記扉に前記一方の前記取付け用の印をつけ、前記上枠の下面に前記他方の前記取付け用の印をつける工程と、前記扉に前記一方を取り付ける工程と、前記上枠の下面に前記他方を取り付ける工程と、を備える扉用装置の製造方法である。
【発明の効果】
【００１２】
本発明によれば、直角に曲がっている引込み装置取付け用テンプレートを用いて、扉に引込み装置及び受け座のいずれか一方の取付け用の印をつけ、上枠の下面に引込み装置及び受け座の他方の取付け用の印をつけることができる。引込み装置及び受け座を最初から正確に位置決めすることができるので、引込み装置及び受け座の取り付けが容易である。
【図面の簡単な説明】
【００１３】
【図１】扉及び上枠に取り付けられた引込み装置及び受け座を示す斜視図である（図１（ａ）は扉の開き位置を示し、図１（ｂ）は扉の閉じ位置を示す)。
【図２】引込み装置の平面図である（図２（ａ）はアームの引出し位置を示し、図２（ｂ）はアームの中間位置を示し、図２（ｃ）はアームの引込み位置を示す）。
【図３】引込み装置の水平断面図である。
【図４】本実施形態のテンプレートの上面図である（折り曲げる前）。
【図５】本実施形態のテンプレートの底面図である（折り曲げる前）。
【図６】手順１の工程図である（図６（ａ）は枠及び扉の斜視図を示し、図６（ｂ）は図６（ａ）のＡ部拡大図を示す）。
【図７】手順２〜４の工程図である（図７（ａ）は枠及び扉の斜視図を示し、図７（ｂ）及び図７（ｃ）は図７（ａ）のＡ部拡大図を示す）。
【図８】手順５，６の工程図である（図８（ａ）は枠及び扉の斜視図を示し、図８（ｂ）は図８（ａ）のＡ部拡大図を示し、図８（ｃ）は図８（ｂ）のＢ部拡大図を示す）。
【図９】扉の厚さの違いによるアームの軌跡の変化を示す水平断面図である（図９（ａ）は扉が厚い場合、図９（ｂ）は扉が薄い場合）。
【図１０】手順７の工程図である（受け座を上枠の下面に取り付ける工程図）。
【図１１】手順７の工程図である（引込み装置を扉に取り付ける工程図）。
【図１２】引込み装置及びブラケットを示す斜視図である。
【図１３】扉に受け座を取り付け、上枠の下面に引込み装置を取り付けた変形例を示す図である（扉の開き位置を示す）。
【図１４】扉に受け座を取り付け、上枠の下面に引込み装置を取り付けた変形例を示す図である（扉の閉じ位置を示す）。
【発明を実施するための形態】
【００１４】
以下、添付図面に基づいて、本発明の一実施形態の引込み装置取付け用テンプレート（以下、単にテンプレートという）を詳細に説明する。ただし、本発明のテンプレートは、種々の形態で具体化することができ、本明細書に記載される実施形態に限定されるものではない。本実施形態は、明細書の開示を十分にすることによって、当業者が発明の範囲を十分に理解できるようにする意図をもって提供されるものである。
【００１５】
図１は、引込み装置１及び受け座３の斜視図を示す。引込み装置１は、扉６の表面に取り付けられる。引込み装置１には、受け座３を引き込むアーム２が設けられる。受け座３は、扉６を囲む枠７の上枠７ａの下面に取りけられる。
【００１６】
利用者が図１（ａ）に示す開き位置にある扉６を所定角度まで閉めると、アーム２と受け座３とが係合する。すると、アーム２が受け座３を引き込むように回転し、図１（ｂ）に示すように扉６が自動的に閉まる。アーム２には、受け座３の軸４を受け入れる溝２ａが形成される。アーム２が受け座３を引き込むとき、軸４は溝２ａに嵌まったまま溝２ａに沿ってスライドする。反対に、利用者が図１（ｂ）に示す閉じ位置にある扉６を所定角度以上開くと、図１（ａ）に示すようにアーム２が受け座３から離れる。このため、扉６を軽く開くことができる。
【００１７】
なお、以下においては、説明の便宜上、特に明示がない限り、扉６を引いて開く側から見たときの方向、すなわち図１に示す上下、左右、前後の各方向を用いて、各部の構成を説明する。
（引込み装置１の構成）
【００１８】
図２は引込み装置１の平面図を示す。アーム２は図２（ａ）に示す引き出された状態から図２（ｃ）に示す引込み状態まで回転する。引込み装置１は、引込み機能とダンパ機能とを有し、扉６を閉じるときの衝撃をやわらげ、ゆっくりと確実に扉６が閉まるようにする。
【００１９】
図３は、引込み装置１の水平断面図を示す。引込み装置１は、ケース１１、ケース１１に固定されるアーム軸１２、アーム軸１２に回転可能に支持されるアーム２、アーム２に引き出される方向又は引き込まれる方向のトルクを与えるスライダクランク機構２１、アーム２が引き込まれるときの衝撃を緩和するダンパ機構２２、を備える。
【００２０】
スライダクランク機構２１は、第一のリンク１３、スライダ１４、コイルばね１５、ばねベース１６を備える。第一のリンク１３の一端部はアーム２に回転可能に連結され、第一のリンク１３の他端部はスライダ１４に回転可能に連結される。スライダ１４は、ケース１１に対して一方向にスライド可能である。コイルばね１５は、スライダ１４とばねベース１６との間に介在し、スライダ１４に付勢力を与える。
【００２１】
ダンパ機構２２は、スライドブロック３１、ダンパ３２、ダンパベース３４、ダンパ調節軸３３を備える。スライドブロック３１には、アーム２のダンパ軸２ｂが通される長孔３１ａが形成される。スライドブロック３１は、ケース１１に対して一方向にスライド可能である。アーム２の回転に伴い、スライドブロック３１が一方向にスライドする。ダンパ３２は、スライドブロック３１とダンパベース３４との間に介在する。ダンパ３２は、本体部３２ａに対してロッド３２ｂがストロークする伸縮式のダンパである。アーム２の引込み方向の回転に伴い、ダンパ３２が縮まり、ダンパ力が発生する。ケース１１には、ダンパベース３４が結合される。ダンパベース３４には、ダンパ３２の本体部３２ａの位置を調節するダンパ調節軸３３が組み込まれる。
【００２２】
引込み装置１の動きは、以下のとおりである。アーム２は図２（ａ）に示す引き出された状態から図２（ｃ）に示す引込み状態まで回転する。図２（ａ）に示す引き出された状態では、スライダクランク機構２１はアーム２にさらに引出し方向にトルクを与える。このため、アーム２の引き出された状態が維持される。受け座３の軸４が引き出された状態のアーム２に当たると、図２（ｂ）に示すようにアーム２が引込み方向に回転する。アーム２がスライダクランク機構２１の思案点を超えるまで回転すると、スライダクランク機構２１がアーム２に引込み方向のトルクを与える。これにより、アーム２が図２（ｃ）に示す引込み状態まで自動的に回転する。引込み状態ではスライダクランク機構２１はアーム２にさらに引込み方向のトルクを与える。このためアーム２の引込み状態が維持される。
【００２３】
図２（ａ）に示す引き出された状態から図２（ｃ）に示す引込み状態までアーム２が引込み方向に回転するとき、スライドブロック３１がダンパ３２を縮め、ダンパ力が発生する。
【００２４】
図２（ｃ）に示す引込み状態から図２（ａ）に示す引き出された状態までアーム２が引出し方向に回転するとき、スライダクランク機構２１は上記と逆の動作を行う。アーム２が引出し方向に回転するとき、ダンパ機構２２はダンパ力を発揮することはない。
（受け座３の構成）
【００２５】
図１０に示すように、受け座３は、上枠７ａの下面にねじ４１によって取り付けられるベース４２と、ベース４２に対して前後方向に位置調節可能な調節体４３と、調節体４３に対して上下方向に位置調節可能な軸４と、軸４を突出させた状態でベース４２及び調節体４３を覆うカバー４４と、を備える。軸４は、前後方向の位置、上下方向の位置が調節可能である。ねじ４５を緩めれば、調節体４３の前後方向の位置を調節できるようになっている。ナット４６を緩めれば、軸４の上下方向の位置を調節できるようになっている。詳しくは後述するが、左右方向の位置調節機能は引込み装置１のブラケット１８に設けられる（図１１参照）。
（テンプレート８の構成）
【００２６】
本実施形態のテンプレート８は、Ｌ字状に折り曲げ可能な板状の型紙から構成される。図４は、折り曲げる前のテンプレート８の上面図を示し、図５は折り曲げる前のテンプレート８の底面図を示す。テンプレート８には、折り目の線８ｃが印刷等によって表される。図４の折り目の線８ｃに沿って山折りすることで、Ｌ字状に折り曲げられたテンプレート８が形成される（図６参照）。図４の折り目の線８ｃの下側が垂直部８ａを構成し、上側が水平部８ｂを構成する。
【００２７】
水平部８ｂには、上枠７ａの下面に受け座３の取付け用の印をつけるための第一の手段としての第一孔５３（垂直部８ａに近い側の流線形の第一孔５３）、及び第二の手段としての第二孔５４（垂直部８ａから離れた側の第二孔５４）が設けられる。第二孔５４は、一対の半円状の孔５４ａと、これらの間の四角形の孔５４ｂと、を備える。垂直部８ａには、扉６に引込み装置１の取付け用の印をつけるための第三の手段としての第三孔５１（半円状の第三孔５１）、及び第四の手段としての第四孔５２（幅方向の両端部に設けられる一対の小円の第四孔５２）が設けられる。
（テンプレート８を用いて引込み装置１及び受け座３を取り付ける手順）
【００２８】
テンプレート８には、扉６に引込み装置１を取り付け、上枠７ａの下面に受け座３を取り付けるための手順１〜７が印刷等によって表される。手順１〜３は、扉６に引込み装置１の取付け用の印６１（図１１参照）をつけるための手順である。手順４〜６は、上枠７ａの下面に受け座３の取付け用の印６２（図１０参照）をつけるための手順である。手順７は、印６１，６２に基づいて引込み装置１及び受け座３を扉６及び上枠７ａの下面に取り付けるための手順である。以下にこの手順を順番に説明する。
＜手順１＞
【００２９】
まず、図６（ａ）（ｂ）に示すように、テンプレート８をＬ字状に折り曲げ、開き位置にある扉６の表面に垂直部８ａを接触させ、扉６の上面に水平部８ｂを接触させる。そして、テンプレート８の幅方向（図６（ｂ）の前後方向）の端８１を扉６の吊元側の小口６１に合わせる。この状態で、垂直部８ａの第三孔５１を基準にして扉６に上下方向の線５６（破線で示す）を罫書く。テンプレート８の幅（図６（ｂ）の前後方向の長さ）は、引込み装置１の幅（図１（ａ）の左右方向の長さ）に略等しい。扉６に上下方向の線５６を罫書くのは、テンプレート８を幅方向に大きくすることなく、扉６に引込み装置１の取付け用の印６１をつけるためである。この上下方向の線５６は、扉６の小口６１から幅方向に所定距離だけ離れた位置に罫書かれる。
＜手順２＞
【００３０】
次に、図７（ａ）に示すように、扉６を閉じる。そして、テンプレート８を裏返し、テンプレート８の垂直部８ａを扉６の表面に接触させ、水平部８ｂを上枠７ａの下面に合わせる。また、テンプレート８の幅方向の端８１を上下方向の線５６に合わせる。そして、図７（ｃ）に示すように、テンプレート８の垂直部８ａをシール５７等の固定手段で扉６に着脱可能に固定する。
＜手順３＞
【００３１】
図７（ｃ）に示す状態で、垂直部８ａの第四孔５２を基準にして扉６に引込み装置１の取付け用の印６１（図１１参照、引込み装置１の取付位置）をつける。
＜手順４＞
【００３２】
また、図７（ｃ）に示す状態で、上枠７ａの下面に水平部８ｂの第一孔５３を基準にして左右方向の線５８を罫書く。この左右方向の線５８は、受け座３の前後方向の位置を決める線である。
＜手順５＞
【００３３】
次に、図８（ａ）に示すように扉６を開いていき、図８（ｃ）に示すように手順４で罫書いた左右方向の線５８がテンプレート８の線５９（図５参照）に重なった位置で扉６を止める。左右方向の線５８とテンプレート８の線５９が重なったかどうかは、第二孔５４の四角形の孔５４ｂを見ることでわかる。
＜手順６＞
【００３４】
図８（ｃ）に示すように、手順４で罫書いた線５８を第二孔５４に合わせ、第二孔５４（一対の半円状の孔５４ａ）を基準にして上枠７ａの下面に前後方向の線６０を罫書く。この前後方向の線６０は、受け座３の左右方向の位置を決める線である。左右方向の線５８と前後方向の線６０との交点６２（図１０参照）が受け座３の取付け用の印（すなわち受け座３の取付位置）である。
【００３５】
図９に示すように、引込み装置１の取付位置（Ｘ寸法）は常に一定である。扉６の板厚が図９（ａ）に示すＡから図９（ｂ）に示すａに変化したり、ヒンジ６４，６４´の種類が異なったりすると、扉６の軌跡が変化するので、引込み装置１のアーム２の軌跡も変化する。アーム２の軌跡が変化すると、受け座３の軸４に左右位置の差異（※寸法）が生じる。テンプレート８を用いて左右方向の線５８と前後方向の線６０との交点６２を求めることで、アーム２の軌跡が変化しても、正確な受け座３の位置を導き出すことができる。
＜手順７＞
【００３６】
図１０に示すように、上枠７ａの下面には、左右方向の線５８と前後方向の線６０とが罫書かれる。ねじ４１を受け座３の取付け用の印である交点６２に合わせて、受け座３を上枠７ａの下面に取り付ければ、受け座３を正確に位置決めすることができる。
【００３７】
また、図１１に示すように、扉６の表面には、引込み装置１の取付け用の印６１がつけられる。ねじ６３を印６１に合わせて引込み装置１を扉６の表面に取り付ければ、引込み装置１を正確に位置決めすることができる。取付け後、引込み装置１はカバー１７で覆われる。
【００３８】
なお、図１２に示すように、引込み装置１は、ブラケット１８を介して扉６に取り付けられる。ブラケット１８は、引込み装置１を扉６の表面に取り付け易くするために設けられる。引込み装置１は、垂直方向を向くねじ１９ａ，１９ｂによってブラケット１８に取り付けられる。図１１に示すように、ブラケット１８は、水平方向を向くねじ６３によって扉６の表面に取り付けられる。ブラケット１８の取付け孔は左右方向に長い長孔になっており、ねじ６３を緩めれば、引込み装置１の左右方向の位置を調節できるようになっている。
（扉６に受け座３を取り付け、上枠７ａの下面に引込み装置１を取り付けた変形例）
【００３９】
図１３及び図１４に示すように、扉６に受け座３を取り付け、上枠７ａの下面に引込み装置１を取り付けることも可能である。図１３は扉６の開き位置（引込み装置１のアーム２と受け座３との係合が外れた直後の状態）を示し、図１４は扉６の閉じ位置を示す。引込み装置１及び受け座３の構成は、上記実施形態と同一であるので、同一の符号を附してその説明を省略する。受け座３はブラケット６５を介して扉６に取り付けられる。
【００４０】
この変形例において、テンプレートの垂直部には、扉６に受け座３の取付け用の印（ねじ６６の位置）をつけるための孔が設けられる。テンプレートの水平部には、上枠７ａの下面に引込み装置１の取付け用の印６７をつけるための孔が設けられる。上記の手順１〜３を経ることで、扉６に受け座３の取付け用の印（ねじ６６の位置）をつけることができる。上記の手順４〜６を経ることで、上枠７ａの下面に引込み装置１の取付け用の印６７をつけることができる。
【００４１】
なお、本発明は上記実施形態に具現化されるのに限られることはなく、本発明の要旨を変更しない範囲で様々な実施形態に変更できる。
【００４２】
上記実施形態では、扉を引いて開く側から見て左側に吊元がある左吊元の例を示したが、扉を引いて開く側から見て右側に吊元がある右吊元にすることもできる。この場合、図４及び図５に示されるテンプレートを左右反転すればよい。図２及び図３に示される引込み装置も左右反転すればよい。
【００４３】
上記実施形態の引込み装置及び受け座の構成は一例にすぎず、他の構成も採用し得る。
【００４４】
例えば、上記実施形態では、アームに溝を設け、受け座にアームの溝に嵌まる軸を設けたが、アームの先端に軸を設け、受け座にアームの軸に嵌まる溝を設けてもよい（例えば出願人が公開した国際公開第２０１１／１４２０４６号参照）。また、ダンパ機構は省略することもできる。さらに、引出し位置のアームを保持するロック機構を設け、アームが引込み方向にのみトルクを発生するように構成することもできる。
【００４５】
テンプレートは、紙製に限られることはなく、例えば樹脂製、木製にすることも可能である。テンプレートは、折り曲げ可能ではなく、最初からＬ字状に曲がっていてもよい。
【００４６】
第一ないし第四の手段として、孔の替わりに切欠き等を用いることもできる。
【００４７】
本実施形態のテンプレートを使用すれば、最初から受け座を正確に位置決めできるので、受け座の軸の前後、左右及び上下方向の位置調節機能を省略することも可能である。
【符号の説明】
【００４８】
１…引込み装置
２…アーム
３…受け座
６…扉
７…枠
７ａ…上枠
６１…扉の吊元側の小口
８…テンプレート（引込み装置取付け用テンプレート）
８ａ…垂直部
８ｂ…水平部
５１…第三孔（第三の手段、引込み装置の取付け用の印を扉につけるための孔）
５２…第四孔（第四の手段、引込み装置の取付け用の印を扉につけるための孔）
５３…第一孔（第一の手段、受け座の取付け用の印を上枠の下面につけるための孔）
５４…第二孔（第二の手段、受け座の取付け用の印を上枠の下面につけるための孔）
６１…引込み装置の取付け用の印
６２…受け座の取付け用の印（左右方向の線と前後方向の線との交点） 
【図１】
0006389203.tif 000002
【図２】
0006389203.tif 000003
【図３】
0006389203.tif 000004
【図４】
0006389203.tif 000005
【図５】
0006389203.tif 000006
【図６】
0006389203.tif 000007
【図７】
0006389203.tif 000008
【図８】
0006389203.tif 000009
【図９】
0006389203.tif 000010
【図１０】
0006389203.tif 000011
【図１１】
0006389203.tif 000012
【図１２】
0006389203.tif 000013
【図１３】
0006389203.tif 000014
【図１４】
0006389203.tif 000015